(57)【要約】      （修正有）【課題】ＧＰＳモジュール付きメモリーカードによると、画像ファイルが作られる時、位置情報は直ちにかつ自動的に画像ファイルに付加され、ユーザーは余計な操作が不要で極めて便利である。【解決手段】複数の位置情報の受信用にＧＰＳモジュールが使用される。画像ファイルが作られる時、格納ユニットへの画像ファイルの格納用ならびに位置情報の画像ファイルへの即時付加用にカードコントローラが利用される。またＧＰＳモジュール、格納ユニット、カードコントローラ、およびマイクロコントロールユニットが含まれるメモリーカードも公開される。ＧＰＳモジュールは複数の位置情報の受信用に利用される。画像ファイルが作られるときに、カードコントローラは格納ユニットへの画像ファイルの格納用に利用される。マイクロコントロールユニットは画像ファイルへの位置情報の即時付加用に利用される。【選択図】図１
2008299831.tif 000002
【特許請求の範囲】
【請求項１】
画像ファイルが作られる場合に画像ファイルの格納ユニットへの格納用ならびに該画像ファイルへの1ヶ所の位置情報の即時付加用の複数位置情報受信用地球位置決定情報システム（ＧＰＳ）モジュール、格納ユニットおよびコントローラカードが含まれるメモリーカード。
【請求項２】
ＧＰＳモジュールにＧＰＳ受信器および該ＧＰＳ受信器に連結されるＧＰＳアンテナが含まれる請求項１のメモリーカード。
【請求項３】
各位置情報に座標情報および／または地名が含まれる請求項１のメモリーカード。
【請求項４】
格納ユニットがＮＡＮＤフラッシュメモリーである請求項１のメモリーカード。
【請求項５】
複数位置情報受信用地球位置決定情報システム（ＧＰＳ）モジュール、格納ユニット、画像ファイルが作られる場合の画像ファイルの格納ユニットへの格納用のカードコントローラ、1ヶ所の位置情報の画像ファイルへの即時付加用のマイクロコントロールユニットが含まれるメモリーカード。
【請求項６】
ＧＰＳモジュールにＧＰＳ受信器および該ＧＰＳ受信器に連結されるＧＰＳアンテナが含まれる請求項５のメモリーカード。
【請求項７】
各位置情報に座標情報および／または地名が含まれる請求項５のメモリーカード。
【請求項８】
格納ユニットがＮＡＮＤフラッシュメモリーである請求項５のメモリーカード。
【発明の詳細な説明】
【技術分野】
【０００１】
本発明はメモリーカードに関するもので特に地球位置決定情報システム（ＧＰＳ）モジュール付きのメモリーカードに関する。
【背景技術】
【０００２】
技術の進歩に伴って、ＧＰＳの用途がますます多く開発されるようになってきた。ＧＰＳは車のナビゲーションに利用可能であり、カメラに組込まれたＧＰＳは写真情報が取られた場所の緯度、経度情報の記録が可能である。今日では、ユーザーが位置する場所の位置および時間情報の記録用にＧＰＳレコーダーが開発された。さらに、デジタルカメラの写真は画像ファイル交換フォーマット（Exif）に適しているだけでなく、カメラタイプ、日付、および画像大きさのような写真情報が得られる。従って、ＧＰＳレコーダーによって記録される情報および写真はともにコンピュータに入力可能である上に、さらに写真の位置情報の写真への付加が可能である。その後ユーザーはグーグルマップあるいはグーグルアースウェブサイトに位置情報が付加された写真をアップロード可能である。従って、場所と時間の間の関係がグーグルマップおよびグーグルアースウェブサイトによって示され得る。
【０００３】
しかしながら、ＧＰＳレコーダーは現在では直接画像ファイルが格納されるメモリーカードへの接続が不可能であるだけでなく、いずれの電気用品（例えば、デジタルカメラあるいはカードリーダー）もメモリーカードによる構成が不可能である。すなわち、ユーザーは写真を取るときに位置情報を直ちに該写真に付加することができない。ユーザーが写真（例えば画像ファイル）に位置情報を付加したい場合には、コンピュータのような別の装置が必要とされる。言換えると、ユーザーはコンピュータを利用しなければならないだけでなく、ＧＰＳレコーダーから写真に受信される位置情報を付加するために余計な時間がかかる。これはユーザーにとって不便極まりない。
【０００４】
もし画像ファイルがメモリーカードに格納される間に位置情報が画像ファイルに直ちに付加可能ならば、ユーザーは極めて便利となろう。その上、ＧＰＳ情報が瞬時に得られるホストによって利用可能であるメモリーカードにより一連の制御コマンドの提供が可能であれば、メモリーカードはますますより多くの用途に利用されるであろう。
【０００５】
従って、本発明の範囲は前述の問題が解決されるＧＰＳモジュール付きのメモリーカードが提供されることにある。
【発明の開示】
【０００６】
本発明の範囲はＧＰＳモジュール付きのメモリーカードの提供にある。ユーザーがデジタルカメラで画像ファイルを撮るとき、メモリーカードのＧＰＳモジュールによって受信される位置情報は直ちに画像ファイルに付加される。
【０００７】
好ましい実施例によると、本発明のメモリーカードにはＧＰＳモジュール、格納ユニット、あおよびカードコントローラが含まれる。ＧＰＳモジュールは複数位置情報の受信用に使用される。画像ファイルが作られると、画像ファイルの格納ユニットへの格納用ならびに位置情報の画像ファイルへの付加用にカードコントローラが利用される。
【０００８】
別の好ましい実施例によると、本発明のメモリーカードにはＧＰＳモジュール、格納ユニット、カードコントローラならびにマイクロコントロールユニット（ＭＣＵ）が含まれる。ＧＰＳモジュールは複数の位置情報の受信に利用される。画像ファイルが作られるときに、カードコントローラは画像ファイルの画像ユニットへの格納用に使用される。マイクロコントロールユニットは画像ファイルへの位置情報の即時付加用に使用される。
【０００９】
従って、本発明のＧＰＳモジュール付きメモリーカードによると、画像ファイルが作られる時、位置情報は直ちにかつ自動的に画像ファイルに付加される。ユーザーは余計な操作が不要で極めて便利である。
【００１０】
本発明の利点と精神は以降の付録図面を伴った引用説明によって理解できよう。
【発明を実施するための最良の形態】
【００１１】
図１を参照されたい。図１は本発明の好ましい実施例によるメモリーカード１が図示される機能区分全体図である。メモリーカード１にはＧＰＳモジュール１２、格納ユニット１４およびカードコントローラ１６が含まれる。ＧＰＳモジュールにはＧＰＳ受信器１２２に連結されるＧＰＳアンテナ１２０が含まれる。格納ユニット１４はＮＡＮＤフラッシュメモリー等であって良い。
【００１２】
この実施例では、ＧＰＳモジュール１２は複数位置情報（図示されず）の受信用に利用される。画像ファイル１４０が作られるとき、カードコントローラ１６は画像ファイル１４０の格納ユニット１４への格納用ならびに位置情報の画像ファイル１４０への即時付加用に使用される。位置情報には座標情報および／または地名が含まれる点が注目されるべきである。
【００１３】
例えば、ユーザーが台北で画像ファイル１４０を撮るとき、ＧＰＳモジュール１２によって受信される対応する位置情報は「台北」である。従って、画像ファイル１４０がカードコントローラ１６によって格納ユニット１４に格納される間、該カードコントローラ１６は直ちに位置情報「台北」を画像情報１４０に付加する。同様に、ユーザーが別の場所で別の画像ファイルを撮るとき、カードコントローラ１６は直ちにＧＰＳモジュール１２によって受信される対応する位置情報を画像ファイルに付加する。
【００１４】
図２を参照されたい。図２は本発明の別の好ましい実施例によるメモリーカード３が図示される機能区分全体図である。メモリーカード３にはＧＰＳモジュール３２、格納ユニット３４、カードコントローラ３６、およびマイクロコントロールユニット（ＭＣＵ）３８が含まれる。ＧＰＳモジュール３２にはＧＰＳ受信器３２２に連結されるＧＰＳアンテナ３２０が含まれる。格納ユニット３４はＮＡＮＤフラッシュメモリー等であって良い。
【００１５】
この実施例では、ＧＰＳモジュール３２は複数の位置情報（図示されず）の受信用に使用される。画像ファイル３４０が作られる時、カードコントローラ３６は画像ファイル３４０の格納ユニット３４への格納用に利用される。マイクロコントロールユニット３８は画像ファイル３４０への位置情報の即時付加用に使用される。位置情報には座標情報および／または地名が含まれる点が注目されるべきである。
【００１６】
例えば、ユーザーが画像ファイル３４０を台北で撮る時、ＧＰＳモジュール３２によって受信される対応する位置情報は「台北」である。従って、画像ファイル３４０がカードコントローラ３６によって格納ユニット３４に格納される間に、マイクロコントロールユニット３８が直ちに位置情報（台北）を画像ファイル３４０に付加する。同様に、ユーザーが別の場所で別の画像ファイルを撮る時には、マイクロコントロールユニット３８がＧＰＳモジュール３２によって受信された位置情報を対応する画像ファイルに直ちに付加する。
【００１７】
先行技術に比較して、本発明のＧＰＳモジュール付きのメモリーカードによると、画像ファイルが作られる時に位置情報が直ちにかつ自動的に画像ファイルに付加される。ユーザーは余計な操作が不要で極めて便利である。
【００１８】
上記の例および説明について本発明の特色と精神が十分説明されていると思われる。当業者は本発明の教示内容が保持されつつも本装置に関する数多くの変更や修正がなされ得ることを容易に見て取ろう。従って、上述の公開内容は請求項によってのみ限定されるものと解釈されなくてはならない。
【図面の簡単な説明】
【００１９】
【図１】本発明の好ましい実施例によるメモリーカードが図示される機能区分全体図
【図２】本発明の別の好ましい実施例によるメモリーカードが図示される機能区分全体図
【図１】
2008299831.tif 000003
【図２】
2008299831.tif 000004